【手続補正書】
【提出日】平成29年5月23日(2017.5.23)
【手続補正１】
【補正対象書類名】特許請求の範囲
【補正対象項目名】全文
【補正方法】変更
【補正の内容】
【特許請求の範囲】
【請求項１】
個別に発光輝度を制御可能な複数の光源を有する発光手段と、
表示画像データに基づいて前記発光手段からの光を変調することで画面上に画像を表示する表示手段と、
各光源の発光輝度を、その光源に対応する領域における前記表示画像データの明るさに基づいて制御する制御手段と、
を有し、
前記表示画像データの明るさに対応する基準値が基準閾値よりも高い場合に、前記制御手段は、前記複数の光源のうち、対応する領域における前記表示画像データの明るさが所定の明るさよりも明るい特定光源の周辺の光源の発光輝度を、前記基準値に応じた基準輝度以上の発光輝度に制御する
ことを特徴とする表示装置。
【請求項２】
前記基準閾値は、各光源の発光輝度の上限に対応する値である
ことを特徴とする請求項１に記載の表示装置。
【請求項３】
前記表示画像データに基づいて、各光源の発光比率として、その光源の発光輝度の、各光源の発光輝度の上限に対する比率を決定し、前記基準値と各光源の発光比率とに基づいて、各光源の発光輝度を決定する第１決定手段、をさらに有し、
前記周辺の光源の発光比率が、前記基準値に応じた基準比率よりも低い場合に、前記第１決定手段は、当該発光比率を前記基準比率に調整し、
前記制御手段は、各光源の発光輝度を、その光源に対して前記第１決定手段によって決定された発光輝度に制御する
ことを特徴とする請求項１または請求項２に記載の表示装置。
【請求項４】
入力画像データから前記表示画像データを生成する生成手段と、
前記入力画像データの撮影時の撮影条件に関する撮影情報に基づいて前記基準値を決定する第２決定手段と、
をさらに有する
ことを特徴とする請求項１乃至請求項３のいずれか１項に記載の表示装置。
【請求項５】
前記撮影情報は、前記入力画像データの撮影時の環境光レベル、ＩＳＯ感度、シャッター速度、絞り値、及び、撮影モードの少なくとも１つを示す
ことを特徴とする請求項４に記載の表示装置。
【請求項６】
前記撮影情報は、前記入力画像データの撮影時の環境光レベルを少なくとも示し、
前記環境光レベルが第１のレベルである場合に前記第２決定手段によって決定される第１の基準値は、前記環境光レベルが前記第１のレベルよりも低い第２のレベルである場合に前記第２決定手段によって決定される第２の基準値よりも高い
ことを特徴とする請求項４または請求項５に記載の表示装置。
【請求項７】
前記生成手段は、前記入力画像データの画素値の範囲を、前記表示手段に入力可能な画素値の範囲以下に補正するための第１補正値を用いて、前記入力画像データを前記表示画像データに変換し、
前記制御手段は、前記基準値を前記第１補正値で補正した値が前記基準閾値よりも高い場合に、前記周辺の光源の発光輝度を、前記基準輝度以上の発光輝度に制御する
ことを特徴とする請求項４乃至請求項６のいずれか１項に記載の表示装置。
【請求項８】
前記制御手段は、前記表示画像データの明るさに応じた第２補正値で補正した画像データと、前記基準値を前記第２補正値で補正した値とに基づいて、各光源の発光輝度を制御する
ことを特徴とする請求項１乃至請求項７のいずれか１項に記載の表示装置。
【請求項９】
前記周辺の光源は、前記特定光源に対して水平方向、垂直方向、または、斜め方向に隣接する光源を含む
ことを特徴とする請求項１乃至請求項８のいずれか１項に記載の表示装置。
【請求項１０】
前記表示画像データの画素値が閾値以上の画素からなる特定領域のサイズが第１のサイズである場合の前記周辺の光源の発光輝度と、前記周辺の光源に対応する領域における前記表示画像データの明るさに応じた発光輝度と差は、前記特定領域のサイズが前記第１のサイズよりも大きい第２のサイズである場合の前記周辺の光源の発光輝度と、前記周辺の光源に対応する領域における前記表示画像データの明るさに応じた発光輝度と差よりも小さい
ことを特徴とする請求項１乃至請求項９のいずれか１項に記載の表示装置。
【請求項１１】
前記特定領域は、前記周辺の光源に対応する領域における、前記表示画像データの画素値が閾値以上の画素からなる領域である
ことを特徴とする請求項１０に記載の表示装置。
【請求項１２】
前記特定光源の発光輝度は、前記特定光源の発光輝度の上限以下の発光輝度に制限されるものであり、
前記表示装置は、前記表示画像データを前記表示手段に入力する際に、前記表示画像データに対して、前記特定光源の発光輝度が制限されることによる表示輝度の変化を補償する補償処理を施す補償手段、をさらに有する
ことを特徴とする請求項１乃至請求項１１のいずれか１項に記載の表示装置。
【請求項１３】
各光源の温度と累積駆動時間の少なくとも一方に応じて、各光源の発光輝度の上限を決定する上限決定手段、をさらに有する
ことを特徴とする請求項１乃至請求項１２のいずれか１項に記載の表示装置。
【請求項１４】
前記基準値は、前記発光手段の各光源の発光輝度の基準値である
ことを特徴とする請求項１乃至請求項１３のいずれか１項に記載の表示装置。
【請求項１５】
個別に発光輝度を制御可能な複数の光源を有する発光手段と、
表示画像データに基づいて前記発光手段からの光を変調することで画面上に画像を表示する表示手段と、
を有する表示装置の制御方法であって、
各光源の発光輝度を、その光源に対応する領域における前記表示画像データの明るさに基づいて制御する制御ステップ、を有し、
前記表示画像データの明るさに対応する基準値が基準閾値よりも高い場合に、前記制御ステップでは、前記複数の光源のうち、対応する領域における前記表示画像データの明るさが所定の明るさよりも明るい特定光源の周辺の光源の発光輝度を、前記基準値に応じた基準輝度以上の発光輝度に制御する
ことを特徴とする表示装置の制御方法。
【請求項１６】
請求項１５に記載の表示装置の制御方法の各ステップをコンピュータに実行させるためのプログラム。 
【手続補正２】
【補正対象書類名】明細書
【補正対象項目名】０００７
【補正方法】変更
【補正の内容】
【０００７】
本発明の第１の態様は、
個別に発光輝度を制御可能な複数の光源を有する発光手段と、
表示画像データに基づいて前記発光手段からの光を変調することで画面上に画像を表示する表示手段と、
各光源の発光輝度を、その光源に対応する領域における前記表示画像データの明るさに基づいて制御する制御手段と、
を有し、
前記表示画像データの明るさに対応する基準値が基準閾値よりも高い場合に、前記制御手段は、前記複数の光源のうち、対応する領域における前記表示画像データの明るさが所定の明るさよりも明るい特定光源の周辺の光源の発光輝度を、前記基準値に応じた基準輝度以上の発光輝度に制御する
ことを特徴とする表示装置である。 
【手続補正３】
【補正対象書類名】明細書
【補正対象項目名】０００８
【補正方法】変更
【補正の内容】
【０００８】
本発明の第２の態様は、
個別に発光輝度を制御可能な複数の光源を有する発光手段と、
表示画像データに基づいて前記発光手段からの光を変調することで画面上に画像を表示する表示手段と、
を有する表示装置の制御方法であって、
各光源の発光輝度を、その光源に対応する領域における前記表示画像データの明るさに基づいて制御する制御ステップ、を有し、
前記表示画像データの明るさに対応する基準値が基準閾値よりも高い場合に、前記制御ステップでは、前記複数の光源のうち、対応する領域における前記表示画像データの明るさが所定の明るさよりも明るい特定光源の周辺の光源の発光輝度を、前記基準値に応じた
基準輝度以上の発光輝度に制御する
ことを特徴とする表示装置の制御方法である。 
【手続補正４】
【補正対象書類名】明細書
【補正対象項目名】０００９
【補正方法】変更
【補正の内容】
【０００９】
本発明の第３の態様は、上述した表示装置の制御方法の各ステップをコンピュータに実行させるためのプログラムである。